(57)【特許請求の範囲】
【請求項１】
三角形状をなすフレームの各頂点に配置されたローラに巻き掛けた第１及び第２の三角クローラを両側に設け、両フレームの中心を支軸により連結して三角クローラ装置を構成し、
２個のローラの間にクローラを巻き掛けた第１及び第２の標準クローラにより従動クローラ装置を構成し、
前記三角クローラ装置の支軸と前記従動クローラ装置とをリンクの両端に回動自在に連結し、前記三角クローラ装置の外周縁内に前記リンク及び前記従動クローラ装置が収納されるように構成したことを特徴とするクローラロボット。
【請求項２】
前記リンクは第１リンクと第２リンクとを回動自在に連結した１節リンクであることを特徴とする請求項１記載のクローラロボット装置。
【請求項３】
前記三角クローラ装置と前記従動クローラ装置間に重量差を設け、前記リンクの回動によりクローラロボット全体の重心移動を行うことを特徴とする請求項１記載のクローラロボット装置。
【請求項４】
前記三角クローラ装置と前記従動クローラ装置とが共に接地状態で走行可能に構成したことを特徴とする請求項１記載のクローラロボット装置。
【請求項５】
三角クローラ装置によって従動クローラ装置を持ち上げて走行可能に構成したことを特徴とする請求項１記載のクローラロボット。
【請求項６】
前記従動クローラ装置によって前記三角クローラ装置を持ち上げて走行可能に構成したことを特徴とする請求項１記載のクローラロボット。
【請求項７】
前記従動クローラ装置によって前記三角クローラ装置を持ち上げて段部に載置し、該段部に載置した前記三角クローラ装置によって前記従動クローラ装置を該段部に持ち上げる作動を行う構成としたことを特徴とする請求項１記載のクローラロボット。
【請求項８】
前記三角形状をなすフレームを前記支軸周りに回転させ、前記三角クローラの接地面前方を接地面より浮かすことにより、段差を乗り越える作動を行う構成としたことを特徴とする請求項１記載のクローラロボット。
【請求項９】
前記従動クローラ装置で後方より圧力を加えることにより、前記三角クローラ接地面のグリップを向上させ、高い段差を乗り越える作動を行う構成としたことを特徴とする請求項９記載のクローラロボット。
【請求項１０】
前記三角クローラ装置における前記ローラ間の３辺の中間において、前記クローラを内部から突出させるクローラガイドを進退自在に設けたことを特徴とする請求項１記載のクローラロボット。
【請求項１１】
前記クローラガイドを突出させたとき、前記三角クローラ装置のフレームを、支軸を中心に回転して走行可能に構成したことを特徴とする請求項１０記載のクローラロボット。
【請求項１２】
前記従動クローラ装置に他のクローラロボットと連結する連結手段を備え、複数のクローラロボットを数珠繋ぎに連結可能としたことを特徴とする請求項１記載のクローラロボット。
【発明の詳細な説明】
【技術分野】
【０００１】
本発明は、移動手段としてクローラを用いたロボットに関し、特にロボット本体両側に三角形に駆動されるクローラを備え、更にその三角クローラ装置に小型の従動クローラ装置をリンクにより回動自在に連結したクローラロボットに関する。
【背景技術】
【０００２】
現在開発されているロボットには、主として工場の生産ラインに設置されているような固定型ロボットと、各種の移動手段を備えた移動ロボットとが存在するが、従来の移動ロボットにおいては、主に無限軌道型または脚型の移動形式をとっている。一般の車両には自動車のようにタイヤで走行する形式と、戦車のように鉄製或いはゴム製ベルトを用いた無限軌道帯で走行する形式があり、後者の形式に用いられるベルトはクローラ（履帯）と呼ばれる。クローラによる走行はタイヤによる走行と比べて地面との接触面積が大きいため、単位面積に加わる重量（接地面圧）がタイヤより著しく小さくできる。このため湿地や悪路での車体の沈み込みを防ぎ、高い走破性を確保できる特徴を有する。
【０００３】
移動型ロボットは、レスキュー用途をはじめ、人間では対応できない極限環境下での作業への適用が期待されており、そのため、移動型ロボットの走行機構には高機動性と高信頼性が求められ、できるだけ高い障壁を乗り越えることが期待されている。高い障害物を乗り越えるためには、重心の移動が重要であり、従来よりこの種の移動ロボットに対して様々な方式が提案されてきている。  
【０００４】
なお、本体両側に四角形に配置したクローラを備えたロボットは特許文献１に記載され、また特許文献２には、履帯を駆動するスプロケットを１個、２個の転輪が一体となって同一軸まわりに回転可能なものを２組、３個の転輪を正三角形の頂点上に配置しその重心まわりに回転可能なおにぎり機構と称するものを１個有しており、それらを互いの回転運動が干渉することのないある中心線に関して対称な形状をした四角形の頂点上に配置し、それらのまわりに履帯を巻き掛けているクローラロボットが記載されている。
【特許文献１】特開２００５−３３５６８１号公報
【特許文献２】特開平８−１３３１４１号公報
【発明の開示】
【発明が解決しようとする課題】
【０００５】
前記のような無限軌道型のクローラロボットは不整地等も走行可能ではあるものの、例えば高い障害を越えるためには機構が複雑になり、大型化する傾向があり、エネルギ消費や機動性において問題があった。また多くのクローラロボットは構造が上下において非対称であるため、上下逆に転んだ場合に動作不能となる問題がある。
【０００６】
したがって本発明は、高い障害物を乗り越える時の重心移動機構を備え、動作不能となることを防止するために上下のない軸回転対称構造とすることができるクローラロボットを提供することを主たる目的とする。
【課題を解決するための手段】
【０００７】
三角形の形をしたクローラを左右に２個備えたフレームを同一回転軸に固定した三角クローラ装置と、小型で標準形状のクローラを備えた従動クローラ間をリンクで結合した多自由度ロボット構造を提案する。通常の移動は、三角クローラ装置及び従動クローラ装置の無限軌道により行う。三角クローラ装置と従動クローラ装置では、前者の重量が重いため、前者を後者及びリンクで持ち上げて高い位置に移動させ、着地後リンクを折り畳むようにして小型クローラを引き上げることで、容易に障害物走破、重心の移動が実現できる。また、三角クローラ装置の回転軸周りの回転を利用して、三角形のエッジ部を障害物に引っ掛けることで、より高い障害物越えも行える。また、高速移動を行うには、三角形のクローラ形状を円形に近くすることで、回転半径の大きな車輪移動が実現できる。このクローラロボットを多数用意して、小型クローラを別のクローラロボットの回転軸に数珠繋ぎに結合固定していくことで、へびのように長い移動ロボット構造を実現でき、さらに高い障害物走破を行うことができる。
【０００８】
本発明についてはより詳細には下記のように構成することにより実施することができる。即ち、本発明に係るクローラロボットは、三角形状をなすフレームの各頂点に配置されたローラに巻き掛けた第１及び第２の三角クローラを両側に設け、両フレームの中心を支軸により連結して三角クローラ装置を構成し、２個のローラの間にクローラを巻き掛けた第１及び第２の標準クローラにより従動クローラ装置を構成し、前記三角クローラ装置の支軸と前記従動クローラ装置とをリンクの両端に回動自在に連結し、前記三角クローラ装置の外周縁内に前記リンク及び前記従動クローラ装置が収納されるように構成したことを特徴とする。
【０００９】
また、本発明に係る他のクローラロボットは、前記クローラロボットにおいて、前記リンクは第１リンクと第２リンクを回動自在に連結した１節リンクであることを特徴とする。
【００１０】
また、本発明に係る他のクローラロボットは、前記クローラロボットにおいて、前記三角クローラ装置と従動クローラ装置間に重量差を設け、前記リンクの回動によりクローラロボット全体の重心移動を行うことを特徴とする。
【００１１】
また、本発明に係る他のクローラロボットは、前記クローラロボットにおいて、三角クローラ装置と従動クローラ装置とが共に接地状態で走行可能に構成したことを特徴とする。
【００１３】
また、本発明に係る他のクローラロボットは、前記クローラロボットにおいて、三角クローラ装置によって従動クローラ装置を持ち上げて走行可能に構成したことを特徴とする。
【００１４】
また、本発明に係る他のクローラロボットは、前記クローラロボットにおいて、従動クローラ装置によって三角クローラ装置を持ち上げて走行可能に構成したことを特徴とする。
【００１５】
また、本発明に係る他のクローラロボットは、前記クローラロボットにおいて、従動クローラ装置によって三角クローラ装置を持ち上げて段部に載置し、段部に載置した三角クローラ装置によって従動クローラ装置を段部に持ち上げる作動を行う構成としたことを特徴とする。
【００１６】
また、本発明に係る他のクローラロボットは、前記クローラロボットにおいて、前記三角形をなすフレームを支軸周りに回転させ、三角クローラの接地面前方を接地面より浮かすことにより、段差を乗り越える作動を行う構成としたことを特徴とする。
【００１７】
また、本発明に係る他のクローラロボットは、前記クローラロボットにおいて、従動クローラ装置によって三角クローラ装置を持ち上げて段部に載置し、段部に載置した三角クローラ装置によって従動クローラ装置を段部に持ち上げる作動を行う構成としたことを特徴とする。
【００１８】
また、本発明に係る他のクローラロボットは、前記クローラロボットにおいて、三角ク
ローラ装置におけるローラ間の３辺の中間において、クローラを内部から突出させるクローラガイドを進退自在に設けたことを特徴とする。
【００１９】
また、本発明に係る他のクローラロボットは、前記クローラロボットにおいて、前記クローラガイドを突出させたとき、三角クローラ装置のフレームを支軸を中心に回転して走行可能に構成したことを特徴とする。
【００２０】
また、本発明に係る他のクローラロボットは、前記クローラロボットにおいて、従動クローラ装置に他のクローラロボットと連結する連結手段を備え、複数のクローラロボットを数珠繋ぎに連結可能としたことを特徴とする。
【発明の効果】
【００２１】
本発明は上記のように三角クローラ装置と従動クローラ装置をリンクにより連結した重心移動機構を利用することにより、従来のものよりも高い段差を乗り越えることができるようになる。特にリンクを１節リンクとすることにより高さ方向の代表寸法が三角クローラの高さであるとすると、１．５倍程度の段差まで乗り越えることが可能となり、従来の移動ロボットにおける０．５倍程度よりも遙かに高い段差を取り超えることができる。したがって、三角クローラ部分の高さが２０ｃｍ程度の大きさでも、人間が通常行動する範囲の階段や障害物を容易に乗り越えることができ、それ以外のときには全体としてコンパクトな構造で移動する等、種々の態様で作動させることができる。また、三角クローラ装置と従動クローラ装置のリンクを折り畳み形式にすることにより、更に高い段差の乗り越えも可能となる。また、ロボットが上下逆転した場合も三角クローラ装置と従動クローラ装置の連携により元の状態に戻すことができ動作不能となることがない。
【発明を実施するための最良の形態】
【００２２】
本発明は小型のクローラロボットにより大きな段差を容易に乗り越えることができるようにし、更に種々の態様の作動を行うことができ、動作不能となることがないようにする、という課題を、フレームの三角形の頂点に配置されたローラに巻き掛けたクローラを両側に設け、両フレームの中心を支軸により連結して三角クローラ装置を構成し、フレームの少なくとも２個のローラに巻き掛けたクローラを両側に設け、互いのフレームを連結して従動クローラ装置を構成し、三角クローラ装置の支軸と従動クローラ装置とをリンクの両端に回動自在に連結することにより実現した。
【実施例１】
【００２３】
本発明の実施例を図面に沿って説明する。図１（ａ）（ｂ）は本発明によるクローラロボットにおいて、特に２つのリンクを回動自在に結合した１節リンクを用いた際の、種々の作動態様の内の１つの作動態様をなす斜視図であり、このクローラロボット１は後述するように両側に三角クローラを備えた三角クローラ装置２と、両側に標準型の小型のクローラを備えた従属クローラ装置３と、両者を連結する１節リンク４とから構成される。
【００２４】
三角クローラ装置２は、中心支軸１１の両端が三角形をなす内側三角フレーム１２と外側三角フレーム１３からなるフレームに支持され、フレームの各頂点部分にはローラ１４を備えている。各ローラにはゴム等の弾性体からなり無限機動帯としての弾性クローラ１５を掛けており、通常状態では全体として三角形の三角クローラを構成している。三角クローラを支持する３個のローラ１４の内、少なくとも一つがモータによって駆動されることにより、弾性クローラ１５は各ローラ１４の周りを三角形状に循環移動し、弾性クローラ１５が接地している面における摩擦力によって前進或いは後退、更には停止することができるようになる。
【００２５】
その際、片側の第１三角クローラ１６と、他側の第２三角クローラ１７とを独自に駆動可能とし、クローラの循環を同方向、逆方向、更には片側を停止して、他側を前進或いは後退方向に移動可能とする。各三角クローラを駆動するローラ１４の少なくとも１つはモータによって駆動されるが、図示実施例では図中示されていないが外側三角フレーム１３と内側三角フレーム１２間の両フレーム内部に配置されている。また、各ローラ１４の支軸２１は内側三角フレーム１２と外側三角フレーム１３に形成した放射状の案内溝２２内で移動可能とし、位置調節等を可能としている。外側三角フレーム１３の外側には、支軸１１に対して回転自在な第１センサケース１８及び第２センサケース１９が配置されており、周辺を触覚センサも兼ねたガード２０によって保護している。センサケースを外側に配置することで、作業や環境に適したセンサケース、もしくは作業用アーム等への交換を容易としている。
【００２６】
中心支軸１１の中間部には、図示の例では１節リンク４を構成する第１アーム２３の一端が回動自在に支持されている。第１アーム２３の他端には第２アーム２４を回動自在に支持しており、第１アーム２３に対して第２アーム２４を内部の連結軸を中心に、モータにより任意に回転可能とし、それにより１節リンク４を構成している。図示実施例では第１アーム２３と第２アーム２４とが所定の範囲で回動できるように、第２アーム２４の端部両側に支持アーム２５、２６を設け、それにより両アーム間に回動空間を形成し、両支持アーム２５、２６の先端に設けた回転軸に第１アーム２３を回動可能に支持している。
【００２７】
第２アーム２４の他端には、従来から広く用いられている少なくとも２個のローラ間にクローラを巻き掛けた、標準型で小型の第１標準クローラ２７と第２標準クローラ２８を両側に備えた従属クローラ装置３における、前側軸２９を回動自在に支持している。従属クローラ装置３は第２アーム２４に対して、第２アーム２４の他端内部に配置された連結軸２９に直結の図示されていないモータにより任意に回転可能としている。第１標準クローラ２７と第２標準クローラ２８は共に、１節リンク４と連結する前側軸２９に設けたローラ３０と、後側軸３１に設けたローラ３２との間に巻き掛けられ、図示されていない後側軸３１に直結のモータにより、従来のものと同様に作動させることができる。
【００２８】
上記のような構造からなるクローラロボット１は図２〜図９に示すような種々の態様で作動可能な多自由度ロボットとすることができる。図２に示す作動態様においてはその骨格を同図（ｂ）に示すように、三角クローラ装置２の中心支軸１１から延びる１節リンク４の第１アーム２３を、三角クローラ装置２の第１角部３５側に回動し、第２アーム２４を１節リンク４の節をなす回動軸３６を中心に屈曲し、従動クローラ体３を支持する端部を三角クローラ装置２の第２角部３７側に回動し、従属クローラ装置３は第２アーム２４に支持される前側軸２９から後側軸３１を、三角クローラ装置２の第３角部３８側に位置するように回動しており、それにより１節リンク４と従動クローラ体３は全て、三角クローラ装置２の外周縁の内側に収納した状態となる。その結果このクローラロボット１は全体として最もコンパクトな形態で、三角クローラ装置２のクローラの駆動により、前進、後退、回転等任意の移動を行うことができる。
【００２９】
図３に示す作動態様においては、三角クローラ装置２が１節クランク４を介して従動クローラ装置３を上方に支持した状態を示し、同図（ａ）の斜視図、及び同図（ｂ）の模式図に示す例においては、三角クローラ装置２に対して１節クランク４を延ばして、従動クローラ装置３を支持し、従動クローラ装置３も上方に延ばして、クローラロボットがほぼ最も高い状態を示している。このような態様から更に同図（ｃ）に示すように、１節クランクを屈曲させ、従動クローラ３を同様に屈曲させて支持することにより、全体として高さを低くした状態で、三角クローラ装置２により従動クローラ３を上方に支持して移動することができるようになる。
【００３０】
図４に示す作動態様においては図３の作動態様とは逆に、従動クローラ３の上方に三角クローラ装置２を支持して移動することができるようにした例を示している。即ち、従動クローラ装置３を通常の走行態様とした状態で１節クランク４の第２アーム２４を充分後方に折り曲げ、第１アームを略上方に支持し、それにより三角クローラ装置２の重心を従動クローラ装置３の重心の略直上に位置させ、安定した状態で従動クローラ装置３によって任意の走行を行うことができるようにする。それにより、三角クローラ装置２の走行が不能となったときには、従動クローラ装置３によって走行可能となり、更にその他の各種作動を行うことができるようになる。
【００３１】
図５に示す作動態様においては、図４に示す作動態様における従動クローラ装置３による三角クローラ装置２の支持の状態で階段状構造物４０に走行し、三角クローラ装置２を１節クランク４の伸張により上方に持ち上げ、階段状構造物４０の第１段部４１に載置した状態を示している。この状態から三角クローラ装置２が１節リンク４を反転して折り畳むようにして回動すると、三角クローラ装置２の重量が従動クローラ装置３より充分大きいため、従動クローラ装置３を持ち上げて第１段部４１に載置する作動を行うことができる。これを繰り返すことで、各種の障害物を乗り越えて移動することができる。
【００３２】
図６に示す作動態様においては、図１に示す作動態様と同様の作動を行うことにより低い段差３９に走行し、三角クローラ装置２を支軸１１を中心に回転させ、クローラ接地面前方を持ち上げることで段差３９を乗り越えて移動することができる。
【００３３】
図５に示す作動態様においては、第１段部４１が比較的低いため前記のような作動を行うことができたが、例えば図７に示すように構造物４３の上部、或いは段部４４が比較的高い場合において、従動クローラ装置３が全面接地しているときには三角クローラ装置２を単に持ち上げただけでは、三角クローラ装置２を図５に示す作動態様では段部４４に載置することができないことがある。その点、図７に示した態様においては、従動クローラ装置３の前進移動による壁４５側への付勢力によって、三角クローラ装置２を構造物４３の壁４５に押し付け、グリップしながら三角クローラ装置２を図７（ａ）の矢印Ａ方向に駆動して、垂直壁４５を上昇する移動を行わせ、同時に従動クローラ装置３を矢印Ｂ方向に駆動して前進させることにより、三角クローラ装置２は垂直壁４５を上方に移動することができる。その結果同図（ｂ）のように三角クローラ装置２は構造物４３の段部４４上に移動させることができる。更に必要に応じてこの状態から三角クローラ装置２が１節リンク４を図中Ｃ方向に反転回動することにより、従動クローラ装置３を持ち上げて段部４４上に移動させ、クローラロボット１全体を段部４４に移動させることができる。
【００３４】
前記各実施例においては、三角クローラ装置２は単に三角フレームの形状に沿って弾性クローラを走行させた例を示したが、三角フレーム内において三角形の各辺の中間位置に伸縮自在にクローラガイド４６を配置し、これを図８に示すように三角フレームから突出させて弾性クローラ１５を伸張させることによって、六角形のクローラロボットとすることができ、この状態で中心支軸１１を中心に三角フレーム１２、１３自体を回転させることにより、車輪と同様に回転駆動することができ、特に大きな直径の車輪と同様に高速移動が可能となる。この時には従動クローラ装置３は走行駆動を行う必要はないが、前記図２の作動態様のように三角フレームの外周縁内に収納した状態とすることにより、更なる高速移動が可能となる。また、更に多数のクローラガイド４６を設けることにより、より円形に近い形状にすることもできる。なお、このような態様においても、クローラを駆動することによる移動も可能である。
【００３５】
前記各実施例においては、三角クローラ装置２、従動クローラ装置３、これらを連結する１節リンク４からなるクローラロボット１単体での作動態様について述べたが、それ以外に例えば図９に示すように、クローラロボット単体を複数数珠繋ぎに連結して、蛇のように長い移動ロボット構造を実現することができる。このような連結のためには、図９において最後尾の従動クローラ装置に示すように、後側軸３１に左右のフック４７を回動自在に設け、通常時は従動クローラ装置内に回動して収納し、連結の必要時には図示のように後方に回動させ、後続のクローラロボットにおける三角クローラ装置２の中心支軸１１等に引っ掛けて連結する。なお、このような連結手段は周知の技術を利用して更に種々の態様で実施することができる。
【００３６】
前記実施例においては本発明の好ましい例として、三角クローラ装置２と従動クローラ装置３とを、第１リンクと第２リンクを回動自在に連結した１節リンク４により接続した例を示したが、三角クローラ装置と従動クローラ装置とを接続するには各種のリンク、或いは同等の物体であれば良く、例えば図１０に示すように１つのリンク５４によって連結しても、前記実施例と同様に種々の態様で作動させることができる。図１０（ａ）に示す例においては、前記図１と同様の作動態様を示し、クローラロボット５１は三角クローラ装置５２と従動クローラ装置５３とがリンク５４によって連結され、両者共に接地している状態を示している。
【００３７】
図１０（ｂ）に示す例においては、前記図２と同様の作動態様を示し、三角クローラ装置５２の外周縁内にリンク５４及び従動クローラ装置５３とが収納された状態を示している。図１０（ｃ）に示す例においては、前記図３と同様の作動態様を示し、三角クローラ装置５２に対して従動クローラ装置５３を持ち上げた状態を示している。図１０（ｄ）に示す例においては、前記図４と同様の作動態様を示し、従動クローラ装置５３によって三角クローラ装置５２を持ち上げた状態を示している。このような作動態様によって、更に前記図５、図７と同様の作動を行うことができる。更にこのクローラロボット５１においても、前記図８及び図９の作動を行うことができるのはいうまでもない。
【００３８】
前記実施例においては三角クローラ装置と従動クローラ装置とを１節リンク、或いは単なるリンクにより連結した例を示したが、その他２節、３節等のリンクを用いても良く、リンクを任意に伸縮自在に構成しても良い。また、図８に示すような作動態様を行う必要がない場合は、クローラとして鋼帯のほか各種素材の帯状の材料を用いることができる。本発明者等は現在までに、高さ２０ｃｍの図１に示すような三角クローラ装置を用いたクローラロボットを製作し、種々の作動を行った結果、遠隔操作による前後左右への移動、その場での回転、３２ｃｍの段差越え、階段昇降実験に成功している。
【産業上の利用可能性】
【００３９】
上記のような本発明は、例えば三角クローラの高さが２０ｃｍ程度でも３２ｃｍの段差を乗り越えることができ、人が通常移動する範囲の段差は乗り越えることができるとともに構造が小型であるため、クローラロボット単体として、或いは複数クローラロボット間の無線を利用した情報連携により、例えば以下のような用途に広く用いることができる。
Ａ．クローラロボット単体としての用途：
・ 夜間のデパート、オフィスビル、美術館、博物館などの巡回警備
・ ホームセキュリティー等の侵入監視用ロボット
・ ショールーム内、アミューズメントパーク内のナビゲーション
・ 弱視者や老齢者の歩行補助
・ センサ種類などと適宜変更し、教育用プラットフォームとしての利用
Ｂ．複数クローラロボット間の無線を利用した情報連携による用途：
・ デパート、地下街、地下鉄ホーム等の公共エリアにおける災害、テロ発生時の情報収集
・ 大規模ファームにおけるフィールドデータ収集
・ 金属探知センサ等を適宜追加して、地雷源探査、除去
・ 津波、地震災害後の人命捜索
【図面の簡単な説明】
【００４０】
【図１】本発明の実施例の１つの作動態様を示す斜視図である。
【図２】本発明の実施例の他の作動態様を示す図であり、（ａ）は斜視図であり、（ｂ）は概念図である。
【図３】本発明の実施例の更に他の作動態様を示す図であり、（ａ）は斜視図であり、（ｂ）は概念図であり、（ｃ）は他の作動態様を示す概念図である。
【図４】本発明の実施例の更に他の作動態様を示す斜視図である。
【図５】本発明の実施例において、段部を上る作動態様を示す斜視図である。
【図６】本発明の実施例において、段部を上る他の作動態様を示す斜視図である。
【図７】本発明の実施例において、比較的高い段部を上る作動態様を示す図である。
【図８】本発明の実施例において、三角クローラ装置の内部からガイドローラを突出させ、車輪と同様にして走行する作動態様を示す図である。
【図９】本発明の他の実施例において、複数のクローラロボットを数珠繋ぎに連結して走行する作動態様を示す図である。
【図１０】本発明の更に他の実施例において、各種の作動態様を示す概念図である。
【符号の説明】
【００４１】
１  クローラロボット
２  三角クローラ装置
３  従動クローラ装置
４  １節リンク
１１  中心支軸
１２  内側三角フレーム
１３  外側三角フレーム
１４  ローラ
１５  弾性クローラ
１６  第１三角クローラ
１７  第２三角クローラ
１８  第１センサケース
１９  第２センサケース
２０  ガード
２１  支軸
２２  案内溝
２３  第１アーム
２４  第２アーム
２５  支持アーム
２６  支持アーム
２７  第１標準クローラ
２８  第２標準クローラ
２９  前側軸
３０  ローラ
３１  後側軸
３２  ローラ
【図１】
0004635259.tif 000002
【図２】
0004635259.tif 000003
【図３】
0004635259.tif 000004
【図４】
0004635259.tif 000005
【図５】
0004635259.tif 000006
【図６】
0004635259.tif 000007
【図７】
0004635259.tif 000008
【図８】
0004635259.tif 000009
【図９】
0004635259.tif 000010
【図１０】
0004635259.tif 000011